(57)【要約】【課題】  簡単な構成で冬季に内装材の室内側の面において結露が発生し難いようにできると共に、夏季の冷房時に外壁内で結露が発生し難いようにできる。床下空間の換気もできる。【解決手段】  外壁１の内部に通気空間２を設けると共に外壁１の通気空間２よりも室内側の部位に透湿性材料により形成した透湿部３を形成する。壁１の下端部に通気空間２の入口４を設けると共に上端部に通気空間２の出口５を設ける。外壁１の下端部の入口４に、屋外空間６と連通する外部連通部７及び床下空間８に連通する床下空間連通部９をそれぞれ連通させる。【選択図】        図１
2007070864.tif 000002
【特許請求の範囲】
【請求項１】
外壁の内部に通気空間を設けると共に外壁の通気空間よりも室内側の部位に透湿性材料により形成した透湿部を形成し、上記外壁の下端部に通気空間の入口を設けると共に上端部に通気空間の出口を設け、上記外壁の下端部の入口に、屋外空間と連通する外部連通部及び床下空間に連通する床下空間連通部をそれぞれ連通させて成ることを特徴とする建物の通気構造。
【発明の詳細な説明】
【技術分野】
【０００１】
本発明は、建物の通気構造に関するものである。
【背景技術】
【０００２】
従来から内部に断熱材を内装し、断熱材の屋外側に通気性シートを重ね、通気性シートと外装材との間に通気空間を形成した外壁が特許文献１、特許文献２等により知られている。この通気空間を備えた外壁は通気空間に屋外空気が流入するための入口を下端部に設けると共に通気空間の空気を屋外に排出するための出口を上端部に設けたものであり、室内空間の湿気を通気空間に逃がし、通気空間内を通気することで湿気を屋外に排出するようになっている。このように、外壁に通気空間を設けて、通気空間を介して室内の湿気を排出して室内の湿度を低下させ（水蒸気量を低下させ）ることで、冬季に室内を暖房した場合、通気空間内の温度と室内の温度との温度差に起因して外壁の内装材の室内側の面の温度が低下してもこの部分に結露が発生し難いようにしている。
【０００３】
このように外壁内に通気空間を設けることで冬季に室内の湿度を低下させて内装材の室内側の面において結露が発生し難いようにしているのであるが、夏季に室内を冷房すると、室内が低温となり、通気空間内には高温多湿の外気が流入するため通気空間内は高温多湿の状態となり、内装材付近では大きな温度差が生じ、高温多湿の壁内の空気は大きな温度差が生じている内装材の屋外側の付近で温度が低下するため、この部分に結露が発生してしまう。この夏季に壁内で発生する結露に対しては何らの対策も取られていないのが実状である。
【０００４】
また、上記通気空間内の温度と室内空間の温度との温度差は小さい程結露が発生し難く、上記温度差が大きい程結露が発生しやすいものであるから、冬季においても、屋外の低温の空気のみが通気空間内に流入する従来例では、通気空間内の温度と室内の温度との温度差が大きくなってしまい、したがって、上記のように通気空間を通気させることで室内の湿度を低下させるだけでは、十分に結露発生を防止できず、湿度を低下させて水蒸気量を低下させても、該低下した水蒸気量が飽和温度となる温度まで内装材の室内側の面が低下してしまうと結局は結露が発生してしまう。
【特許文献１】実開昭６１−１３７０８号公報
【特許文献２】特開２００１−３４６７号公報
【発明の開示】
【発明が解決しようとする課題】
【０００５】
本発明は上記の従来の問題点に鑑みて発明したものであって、簡単な構成で冬季に内装材の室内側の面において結露が発生し難いようにできると共に、夏季の冷房時に外壁内で結露が発生し難いようにでき、また、同時に床下空間の換気もできる建物の通気構造を提供することを課題とするものである。
【課題を解決するための手段】
【０００６】
上記課題を解決するために本発明に係る建物の通気構造は、外壁１の内部に通気空間２を設けると共に外壁１の通気空間２よりも室内側の部位に透湿性材料により形成した透湿部３を形成し、上記外壁１の下端部に通気空間２の入口４を設けると共に上端部に通気空間２の出口５を設け、上記外壁１の下端部の入口４に、屋外空間６と連通する外部連通部７及び床下空間８に連通する床下空間連通部９をそれぞれ連通させて成ることを特徴とするものである。
【０００７】
通気空間２内の空気が上昇して出口５から屋外空間６に排気することで、外壁１の透湿部３を通して室内空間１０の湿気を通気空間２から外部に逃がして室内空間１０の湿度を低下させ（水蒸気量を低下させ）、冬季の暖房時に外壁１の内装材の室内側の面における結露の発生を防止することができる。しかも、通気空間２内を空気が上昇して出口５から屋外空間６に排気されることで、屋外空間６の外気が外部連通部７から入口４を経て通気空間２に流入すると共に床下空間８内の床下空気が床下空間連通部９から通気空間２の入口４を経て通気空間２内に流入することになり、通気空間２内を上昇する空気は屋外空気と床下空気とが混合された混合空気となる。したがって、夏季には高温の屋外空気と、低温の床下空気とが混合された比較的温度の低い混合空気が通気空間２を流れることになり、夏季において室内空間１０を冷房した場合における通気空間２内の温度と室内空間１０の温度との温度差を小さくすることができ、これにより夏季における室内空間１０の冷房時に外壁１の内部において結露が発生し難くなる。また、冬季には低温の屋外空気と、高温の床下空気とが混合された比較的暖かい温度の混合空気が通気空間２を流れることになり、冬季において室内空間１０を暖房した場合における通気空間２内の温度と室内空間１０の温度との温度差を小さくすることができ、これにより冬季における室内空間１０の暖房時に外壁１の内装材の室内側面においていっそう結露が発生し難くなる。また、簡単な構成で外壁１内を通気する際に同時に床下空間８の換気もできることになる。
【発明の効果】
【０００８】
本発明は、上記のように外壁の下端部の入口に、屋外空間と連通する外部連通部及び床下空間に連通する床下空間連通部をそれぞれ連通させるので、簡単な構成で外気温度と外壁内の通気空間内の温度との温度差を大きくして、通気空間内の温度と室内空間の温度との温度差をできるだけ小さくできて、夏季における室内空間の冷房時や冬季における室内空間の暖房時に結露が発生し難いようにでき、また、同時に床下空間の換気もできる。
【発明を実施するための最良の形態】
【０００９】
以下、本発明を添付図面に示す実施形態に基いて説明する。
【００１０】
建物の外壁１の内部には通気空間２が形成してある。図１、図２には２階建ての建物において１階の外壁と２階の外壁とが上下に連続した外壁１の例が示してある。すなわち、１階の外壁、２階の外壁はいずれも外壁パネル１１により構成してあり、基礎１２と床梁１３との間に１階の外壁パネル１１を建て込むと共に床梁１３と屋根梁２７との間に２階の外壁パネル１１を建て込み、更に、床梁１３の屋外側を幕板１４で覆って２階建ての建物の外壁１が構成してある。
【００１１】
ここで、１階、２階の外壁パネル１１は同じ構造となっており、図４、図５に示すようなもので、パネル枠１５の室内側の面に断熱ボード１６を取着してある。断熱ボード１６は断熱性を有し、更に、透湿性を有したもの、例えばインシュレーションボードのようなものが用いられる。
【００１２】
パネル枠１５内にはロックウール、グラスウールのような繊維系の断熱材１８が充填してあり、該繊維系の断熱材１８は繊維と繊維との間の隙間を通気できるようになっている。パネル枠１５の屋外側の面には透湿性を有するケナフボードのような内側板材１９が取着してあって繊維系の断熱材１８を押さえ付けている。該内側板材１９の屋外側に桟材２０を取着し、この桟材２０の外面側に外装材２１を取着してある（外装材２１は固着具により桟材２０、内側板材１９を介してパネル枠１５に固着してある）。内側板材１９と外装材２１との間が通気空間２ａとなっており、該通気空間２ａは内部が上下に連通し且つ上下において外部に開口するように横向きの桟材２０で通気空間２を塞がないようになっており、このため、横向きの桟材２０に通気用の切欠部３８を設けたり、あるいは縦向きの桟材２０間の間隔よりも横向きの桟材２０の長さを短くしたり、あるいは横向きの桟材２０を不連続としたりしてある。
【００１３】
上記の構造の外壁パネル１１は工場であらかじめ形成して現場に搬送して施工される。１階の外壁パネル１１は基礎１２上に取付けた土台金物２３の縦片の上端にパネル枠１５の下横枠材の下面に設けた嵌め込み溝２４を嵌め込むと共にパネル枠１５の上横枠材の上面部に設けた取付け金具２５を床梁１３の下端部に取付けることで立設してある。また、２階の外壁パネル１１は床梁１３の上端部に取付けたパネル受け金物２６の縦片の上端部にパネル枠１５の下横枠材の下面に設けた嵌め込み溝２４を嵌め込むと共にパネル枠１５の上横枠材の上面部に設けた取付け金具２５を屋根梁２７の下端部に取付けることで立設してある。
【００１４】
現場においては外壁パネル１１の断熱ボード１６の室内側の面に石膏ボードのような透湿性を有する内装用下地ボード１７が取着される（内装下地用ボード１７は予め工場で断熱ボード１６の室内側の面に固着しておいて外壁パネル１１の一部としていてもよい）。この内装用下地ボード１７の室内側の面には透湿性の内装材（図示せず）が取着される。
【００１５】
床梁１３の屋外側にはロックウール、グラスウールのような繊維系の床梁用断熱材１８ａが設けてあり、更に、床梁用断熱材１８ａの外面側に床梁用内側板材１９ａを配置して該床梁用内側板材１９ａの下端部と上端部とを、下の外壁パネル１１のパネル枠１５の上面に固着した受け桟２２ａと、上の外壁パネル１１のパネル枠１５の下面に固着した受け桟２２ｂの外面に当てて固着してある。更に、該床梁用断熱材１８ａを介して床梁１３の屋外側に配設した床梁用内側板材１９ａの屋外側には通気空間２ｂを介して幕板１４が配設してあり、幕板１４の下端部と上端部とを、下の外壁パネル１１の上端部の横向きの桟材２０と、上の外壁パネル１１の下端部の横向きの桟材２０と固着してある。上記通気空間２ｂは１階の外壁パネル１１内の通気空間２ａ、２階の外壁パネル１１内の通気空間２ａと連通しており、この上下に連通する通気空間２ａ、通気空間２ｂ、通気空間２ａにより外壁１内に通気空間２が構成される。
【００１６】
ここで、本実施形態では、外壁１の通気空間２よりも室内側の部位には前述のように外壁パネル１１の透湿性の内側板材１９、繊維間を通気できる繊維系の断熱材１８、透湿性の断熱ボード１６、透湿性の内装用下地ボード１７、透湿性の内装材により通気空間２と室内空間１０との間で透湿可能とした透湿部３が構成してある。
【００１７】
外壁１に設けた通気空間２の下端部には通気空間２の入口４が設けてあり、また、上端部には通気空間２の出口５が設けてある。添付図面に示す実施形態では１階の外壁パネル１１の通気空間２ａの下端開口部分が入口４となっており、２階の外壁パネル１１の通気空間２ａの上端開口部分が出口５となっている。
【００１８】
１階の外壁パネル１１の下の横向きの桟材２０の外面側には基礎見切り材２８の上端部が固着してあり、基礎見切り材２８により１階の外壁パネル１１の下端と基礎１２の上端との間の隙間を覆い隠すようになっている。基礎見切り材２８には外部連通部７となる孔や切欠が設けてあり、添付図面に示す実施形態では図３に示すように基礎見切り材２８の下端部に設けた基礎１２の屋外側面に向けて突出した下横片に孔を形成して屋外空間６と連通する外部連通部７としてあり、この屋外空間６と連通する外部連通部７が１階の外壁パネル１１の下端面と基礎１２の上面との間の隙間２９を介して上記通気空間２の入口４に連通している。また、添付図面に示す実施形態において、土台金物２３は図２、図３に示すように短尺の載置台４０を介して基礎１２の上面に載設固着してあり、土台金物２３の長手方向に沿った載置台４０と載置台４０との間の隙間が床下空間８と連通する床下空間連通部９となっており、この床下空間８と連通する床下空間連通部９が１階の外壁パネル１１の下端面と基礎１２の上面との間の隙間２９を介して上記通気空間２の入口４に連通している。ここで、長尺の土台金物２３の縦片の孔や切欠部等の通気部を設けて床下空間連通部９としてもよく、この場合は載置台４０を設けなくてもよい。また、土台金物２３が短尺のものの場合には、土台金物２３と土台金物２３との間に隙間を形成することで該隙間を床下空間連通部９としてもよい。
【００１９】
外壁１の上端部に設けた通気空間２の出口５は図１に示すように軒天井裏空間３０に連通し、軒先３１に設けた通気口３２が屋外空間６と軒天井裏空間３０とを連通している。したがって、通気空間２の出口５は軒天井裏空間３０、通気口３２を介して屋外空間６と連通している。
【００２０】
図中３３は１階の床パネルであり、該１階の床パネル３３の下面側には床用断熱材３４が設けてある。また、図中３５は１階の天井材、３６は２階の床パネル、３７は２階の天井材である。
【００２１】
室内空間１０の湿度が高い場合、室内の湿気が外壁１の透湿部３（透湿性を有する内装材、透湿性を有する断熱ボード１６、透湿性を有する繊維系の断熱材１８、透湿性を有する内側板材１９）を介して通気空間２内に移行して室内の湿度を低下させる。通気空間２内の空気は通気空間２内を上昇して出口５から軒天井裏空間３０、通気口３２を経て屋外空間６に排出されるため、湿気も屋外に排出される。上記のように通気空間２内の湿気を含んだ空気が上昇して屋外空間６に排出されることで、通気空間２の下端部に設けた入口４から通気空間２内に新たな空気が流入する。この新たに流入した空気は上記のようにして室内から通気空間２内に移行する湿気を含んで上昇して出口５から屋外空間６に排出される。
【００２２】
このようにして室内空間１０内の湿度を低下させることで、冬季に室内で暖房している場合に室内の湿度を低下させて、外壁１の室内側の面である内装材の室内側の面で結露が発生し難いようになっている。つまり、冬季においては、室内空間１０が屋外空間６よりも温度が高く、このため、外壁の内部に断熱材を内装していても、屋外空間６の低温の空気が流入する外壁１内の通気空間２と暖房して高温となっている室内空間１０との温度差により、内装材部分において室内空間１０の温度が低下し、この内装材の室内側の面における温度低下が室内空間１０の水蒸気が飽和状態となる温度Ｔ０まで低下すると内装材の室内側の面に結露が発生することになる。しかしながら、上記のように通気空間２を設けて室内の湿度を低下させ（水蒸気量を低下させ）ることで、内装材の室内側の面で温度Ｔ０まで低下しても内装材の屋内側面において室内の水蒸気量が飽和状態とならず、したがって、温度Ｔ０では結露が発生しない。
【００２３】
このようにして通気空間２を設けることで室内の湿度を低下させて内装材の室内側の面において結露が発生しないようにしているのであるが、夏季に室内空間１０を冷房すると、通気空間２内が高温となり、高温の通気空間２と冷房して低温となった室内空間１０との間において、繊維系の断熱材１８、内装用下地ボード１７の内部では急激な温度差が生じないが、断熱ボード１６と内装用下地ボード１７との界面部分では大きな温度差が生じる。一方、前述のように通気空間２と室内空間１０とは湿気が通過できる構造となっているので、透湿性の断熱ボード１６部分にも湿気が存在している。したがって、高温多湿の夏季においては、この透湿性の断熱ボード１６部分に存在する高温多湿の空気が内装用下地ボード１７と断熱ボード１６との界面部分で大きな温度差が生じて高温多湿の空気が冷やされて、該空気中の水蒸気が飽和状態となってこの部分に結露が生じる。特に、夏季に屋外空間６の空気はかなり高温多湿であり、この高温多湿の空気が通気空間２内に流れ込むため、通気空間２内の温度が高くなり、また湿度も高くなる。したがって、室内空間１０を冷房した場合における上記断熱ボード１６と内装用下地ボード１７との界面部分における温度差が大きくなり、夏季において外壁１の内部に存在する高温多湿の空気が外壁１内における上記温度差が大きくなる部分で結露として発生するのは避けられない。
【００２４】
ところが、本発明においては、前述のように、外壁１の下端部の入口４に、屋外空間６と連通する外部連通部７及び床下空間８に連通する床下空間連通部９をそれぞれ連通させることで、夏季における通気空間２内の温度を低下させ、内装用下地ボード１７と断熱ボード１６との界面部分における温度差を小さくし、内装用下地ボード１７と断熱ボード１６との界面部分において結露の発生を防止するようにしたことに特徴がある。
【００２５】
すなわち、本発明は、図１に示す作用説明図のように、夏季に太陽Ｓの日射により加熱されると、外壁１の通気空間２内に上昇流が生じ、通気空間２の上端部の出口５→軒天井裏空間３０→通気口３２→屋外空間６という経路で排気され、上記の上昇流が生じるため、通気空間２の下端部の入口４から新たな空気が通気空間２内に流入する。この入口４からは、屋外空間６→基礎見切り材２８の外部連通部７→１階の外壁パネル１１の下端面と基礎１２の上面との間の隙間２９→入口４という経路で流入する屋外空間６の高温の空気と、床下空間８→床下空間連通部９→隙間２９→入口４という経路で流入する床下空間８の低温（夏季における外気温に比べて低温）の空気とが流入するものであり、このため、夏季においては外壁１内の通気空間２内は高温多湿の屋外空気と低温で比較的湿度の低い床下空気とが混合された状態となり、高温多湿の屋外空気のみが流入する場合に比べて、通気空間２内における温度が低くなり、通気空間２内の温度と冷房している室内空間１０との温度差を小さくでき、また、外壁１内の湿度も低下でき、これにより断熱ボード１６と内装用下地ボード１７との界面部分における温度差を小さくして、夏季に室内空間１０を冷房している場合おける外壁１の内部における結露の発生を防止することができるのである。
【００２６】
また、冬季においては、通気空間２内には入口４から屋外空間６の低温の空気と、床下空間８の高温（冬季における外気温に比べて高温）の床下の空気が流入することで、低温の屋外空気のみが流入する場合に比べて、通気空間２内における温度が高くなり、通気空間２内の温度と暖房している室内空間１０との温度差を小さくでき、前述の通気空間２を設けて室内空間１０の湿度を低下させることによる冬季における内装材の室内側の面での結露発生の防止効果に加え、上記の通気空間２内の温度と暖房している室内空間１０との温度差を小さくすることによってよりいっそう冬季における内装材の室内側の面での結露発生を更に防止することができる。
【００２７】
また、本発明においては上記のように屋外空間６の空気だけでなく床下空間８内の空気を通気空間２内に流入させるので、床下空間８内の空気の換気が同時に行えることになる。
【００２８】
なお、上記実施形態では内部に通気空間２を形成した外壁１として、１階の外壁と２階の外壁とが上下に連続する例で説明したが、１階の外壁１の上方に１階の屋根やバルコニーが形成されるような場合であっても本発明は適用できるのは勿論である。
【図面の簡単な説明】
【００２９】
【図１】本発明の概略作用説明図である。
【図２】同上の外壁の断面図である。
【図３】同上の外壁の下部の拡大断面図である。
【図４】同上の外壁パネルの概略断面図である。
【図５】同上の外壁を構成するための外壁パネルの分解斜視図である。
【符号の説明】
【００３０】
１  外壁
２  通気空間
３  透湿部
４  入口
５  出口
６  屋外空間
７  外部連通部
８  床下空間
９  床下空間連通部
【図１】
2007070864.tif 000003
【図２】
2007070864.tif 000004
【図３】
2007070864.tif 000005
【図４】
2007070864.tif 000006
【図５】
2007070864.tif 000007